(57)【要約】  相対的に範囲が広い第１セル群と、相対的に範囲が狭い第２セル群とを構成する複数の基地局を備えた移動通信システムにおいて、移動局装置は、間欠受信の周期が長いときに接続先として第１セル群を選択することによって、セルの境界をまたいで隣接するセルへ移動することを起こり難くする。あるいは、移動局装置は、間欠受信の周期が長いときにハンドオーバ閾値を小さくして、低い受信レベルまで受信できるようにすることによって、セルの境界をまたいで隣接するセルへ移動することを起こり難くする。
2009008056.tif 000002
【特許請求の範囲】
【請求項１】
相対的に範囲が広い第１セル群と、相対的に範囲が狭い第２セル群とを構成する複数の基地局を備えた移動通信システムで用いられる移動局装置において、
前記複数の基地局のいずれかの基地局から送信された信号を受信する受信機と、
前記受信機で受信した信号に基づいて間欠受信の周期を判定する判定部と、
前記判定部により判定された間欠受信の周期に基づいて、前記第１セル群又は前記第２セル群のいずれかの選択を行い、選択されたセル群に属する基地局から送信される信号を間欠受信するように前記受信機を設定する設定部と、
を備えることを特徴とする移動局装置。
【請求項２】
前記設定部は、間欠受信の周期が長い場合に前記第１セル群に属する基地局を選択し、前記間欠受信の周期が短い場合に前記第２セル群に属する基地局を選択することを特徴とする請求項１に記載の移動局装置。
【請求項３】
前記設定部は、間欠受信の周期を閾値と比較することによって、間欠受信の周期が長いか短いかを判断することを特徴とする請求項２に記載の移動局装置。
【請求項４】
前記設定部は、前記第１セル群と前記第２セル群との間での選択する群を変更する場合に階層間のハンドオーバリクエストを送信機から送信させることを特徴とする請求項２に記載の移動局装置。
【請求項５】
基地局から送信された信号を受信する受信機と、
前記受信機で受信した信号に基づいて間欠受信の周期を判定する判定部と、
前記判定部により判定された間欠受信の周期に基づいてハンドオーバ閾値の設定を行うハンドオーバ閾値設定部と、
を備えることを特徴とする移動局装置。
【請求項６】
前記ハンドオーバ閾値設定部は、間欠受信の周期が長いときにハンドオーバ閾値を小さく設定し、前記間欠受信の周期が短いときにハンドオーバ閾値を大きく設定することを特徴とする請求項５に記載の移動局装置。
【請求項７】
前記ハンドオーバ閾値設定部は、間欠受信の周期に応じてハンドオーバ閾値を連続的に変化させることを特徴とする請求項６に記載の移動局装置。
【請求項８】
前記ハンドオーバ閾値設定部は、間欠受信の周期を閾値と比較することによって、間欠受信の周期が長いか短いかを判断することを特徴とする請求項７に記載の移動局装置。
【請求項９】
前記ハンドオーバ閾値設定部により設定されたハンドオーバ閾値と、前記受信機で受信した信号の受信レベルを比較して、ハンドオーバが必要であるか否かを判断する制御部、をさらに備え、
前記制御部は、前記ハンドオーバ閾値設定部により設定されたハンドオーバ閾値が受信レベルを超える場合、前記送信機を介してハンドオーバリクエストを出力することを特徴とする請求項６に記載の移動局装置。
【請求項１０】
相対的に範囲が広い第１セル群と、相対的に範囲が狭い第２セル群とを構成する複数の基地局を備えた移動通信システムで用いられる移動局装置におけるセル選択方法において、
前記複数の基地局のいずれかの基地局から送信された信号を受信し、
受信した信号に基づいて間欠受信の周期を判定し、
判定した間欠受信の周期に基づいて、前記第１セル群又は前記第２セル群のいずれかの選択を行い、選択されたセル群に属する基地局から送信される信号を間欠受信するように受信制御する、
ことを特徴とするセル選択方法。
【請求項１１】
前記第１セル群と前記第２セル群との間での選択する群を変更する場合にセル群を変更するハンドオーバリクエストを送信する、
ことを特徴とする請求項１０に記載のセル選択方法。
【請求項１２】
基地局から送信された信号を受信し、受信した該信号に基づいて間欠受信の周期を判定する判定ステップと、
前記判定ステップで得た間欠受信の周期を閾値と比較する比較ステップと、
前記比較ステップでの比較の結果、間欠受信の周期の方が長いときにハンドオーバ閾値を小さくし、前記間欠受信の周期が短いときにハンドオーバ閾値を大きくする設定ステップと、
を含むことを特徴とするセル選択方法。
【請求項１３】
前記設定ステップで設定されたハンドオーバ閾値が、間欠受信した信号の受信レベルを超える場合、ハンドオーバリクエストを出力することを特徴とする請求項１２に記載のセル選択方法。
【発明の詳細な説明】
【技術分野】
【０００１】
本発明は、移動局装置およびセル選択方法に関するものである。
【背景技術】
【０００２】
近時、携帯電話等の移動体通信システムでは、より高速なデータ通信仕様の一つとして、ＬＴＥ（Ｌｏｎｇ  Ｔｅｒｍ  Ｅｖｏｌｕｔｉｏｎ）が検討されている。このＬＴＥは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式による第３世代携帯電話（３Ｇ）を拡張した通信方式の一つであり、標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）において標準化が進められている（例えば、非特許文献１参照。）。【０００３】
ＬＴＥでは、移動局は、消費電力の削減を図るため、待ち受け中だけでなく、通信中においても、基地局からの信号を間欠受信（ＤＲＸ：Ｄｉｓｃｏｎｔｉｎｕｏｕｓ  Ｒｅｃｅｉｖｉｎｇ  ｆｏｒ  Ｐｏｗｅｒ  Ｓａｖｉｎｇ）する。この間欠受信期間中、移動局は、定期的にスケジューリングチャネルを受信して、自分宛の送信の有無を確認する。また、移動局は、上りリンクの同期を維持するため、定期的に基地局へ上り送信を行う（ＤＴＸ：Ｄｉｓｃｏｎｔｉｎｕｏｕｓ  Ｔｒａｎｓｍｉｓｓｉｏｎ）。【０００４】
また、ＩＰ（Ｉｎｔｅｒｎｅｔ  Ｐｒｏｔｏｃｏｌ）通信を実現するネットワーク構成方法において、複数種類の無線基地局の通信エリアが階層をなすことを特徴とするネットワーク構成方法の提案がある。さらに、種類が異なる複数の無線デバイスを搭載している無線端末が１以上の無線デバイスを休止状態に設定する場合、各無線デバイスに対応する無線基地局の中でも最も通信エリアが広い無線基地局の識別子を含む経路登録パケットを根幹ルータに送信することを特徴とするネットワーク構成方法の提案がある（例えば、特許文献１参照。）。【０００５】
【特許文献１】特開２００４−３０４２８０号公報（［請求項２］、［請求項５］）
【非特許文献１】「スリージーピーピー・ティーアール・２５．９１３・Ｖ７．３．０（２００６−０３）（３ＧＰＰ  ＴＲ  ２５．９１３  Ｖ７．３．０（２００６−０３））」、サード・ジェネレーション・パートナーシップ・プロジェクト（３ｒｄ  Ｇｅｎｅｒａｔｉｏｎ  Ｐａｒｔｎｅｒｓｈｉｐ  Ｐｒｏｊｅｃｔ）、ｐ．１−１８
【発明の開示】
【発明が解決しようとする課題】
【０００６】
しかしながら、基地局との通信中でも間欠送受信を行う場合、ハンドオーバを行う際に次のような問題が生じることがある。移動局と基地局とが通信を行っている間に、受信と受信の間の期間、すなわち移動局が受信を行っていない期間に移動局がセル間を移動すると、移動局が受信品質の劣化を次の受信のタイミングで知ることになる。そのため、移動局がセルの境界をまたいだタイミングから相当遅れて、移動局の接続先となる基地局が切り替わることになり、通信が途切れるおそれがある。【０００７】
本発明は、上記に鑑みてなされたものであって、ハンドオーバ時に通信の途切れが発生するのを抑制することができる移動局装置およびセル選択方法を提供することを目的とする。
【課題を解決するための手段】
【０００８】
上述した課題を解決し、目的を達成するために、本発明は、以下の特徴を有する。第１の発明にかかる移動局装置は、相対的に範囲が広い第１セル群と、相対的に範囲が狭い第２セル群とを構成する複数の基地局を備えた移動通信システムにおいて用いられる。移動局装置は、複数の基地局のいずれかの基地局から送信された信号を受信し、受信した信号に基づいて間欠受信の周期を判定し、判定した間欠受信の周期に基づいて、第１セル群又は第２セル群のいずれかの選択を行い、選択されたセル群に属する基地局から送信される信号を間欠受信するように受信制御する。第２の発明にかかる移動局装置は、基地局から送信された信号を受信し、受信した信号に基づいて間欠受信の周期を判定し、判定した間欠受信の周期を閾値と比較し、比較の結果、間欠受信の周期の方が長いときにハンドオーバ閾値を小さくし、間欠受信の周期が短いときにハンドオーバ閾値を大きくする。【０００９】
第１の発明によれば、間欠受信の周期が長いときにセルが広くなるので、移動局がセルの境界をまたいで隣接するセルへ移動することが起こり難くなる。従って、ハンドオーバ時に通信が途切れることが殆ど起こらなくなる。一方、間欠受信の周期が短いときには、セルが狭くなるので、周波数の利用効率が高くなる。【００１０】
また、第２の発明によれば、間欠受信の周期が長いときにハンドオーバ閾値が小さくなることによって、移動局は、より低い受信レベルまで受信可能となる。これにより、セルが広くなったのと同じような効果を得ることができるので、ハンドオーバ時の通信の途切れが殆ど起こらなくなる。一方、間欠受信の周期が短いときには、ハンドオーバ閾値が大きくなることによって、移動局は、より高い受信レベルまでしか受信できなくなる。これにより、セルが狭くなったのと同じような効果を得ることができ、周波数の利用効率が高くなる。
【発明の効果】
【００１１】
本発明にかかる移動局装置およびセル選択方法は、ハンドオーバ時に通信の途切れが発生するのを抑制することができるという効果を奏する。
【図面の簡単な説明】
【００１２】
【図１】図１は、この発明の実施の形態にかかるセル選択方法の概念を示す図である。
【図２】図２は、この発明の実施例１にかかるセル選択方法を説明する図である。
【図３】図３は、この発明の実施例１にかかる移動局装置の構成を示す図である。
【図４】図４は、この発明の実施例１にかかる移動局装置の動作を説明する図である。
【図５】図５は、この発明の実施例１にかかる移動局装置によるセル選択シーケンスを説明する図である。
【図６】図６は、この発明の実施例２にかかる移動局装置の構成を示す図である。
【図７】図７は、この発明の実施例２にかかる移動局装置の動作を説明する図である。
【図８】図８は、この発明の実施例２にかかる移動局装置によるセル選択シーケンスを説明する図である。
【符号の説明】
【００１３】
１  マクロセル
２，３，４  マイクロセル
１２  受信機
１３  送信機
１４  間欠送受信周期判定部
１５  セル設定部
１６  制御部
２１  ハンドオーバ閾値設定部
【発明を実施するための最良の形態】
【００１４】
以下に、本発明にかかる移動局装置およびセル選択方法の実施例を図面に基づいて詳細に説明する。なお、この実施例によりこの発明が限定されるものではない。尚、ここでは、ＬＴＥに従った移動通信システムに適用する場合を１例として挙げて説明する。【００１５】
まず、この発明の実施の形態にかかるセル選択方法について説明する。実施の形態では、移動局が基地局との間で間欠送受信を行う移動体通信システムにおいて、移動局が接続する基地局のセルの広さを、間欠送受信の周期に基づいた広さとする。間欠送受信状態のとき、移動局は、基地局との間で、一定の周期で間欠的に送信および受信を行う。【００１６】
図１は、この発明の実施の形態にかかるセル選択方法を示す図である。図１に示すように、まず、移動局は、間欠送受信の周期を取得する（ステップＳ１）。間欠送受信の周期は、基地局またはネットワークから移動局に通知される。次いで、移動局は、取得した間欠送受信の周期を、予め設定されている閾値と比較し、間欠送受信の周期がその閾値よりも大きいか否かを判断する（ステップＳ２）。【００１７】
間欠送受信の周期の方が大きい場合には（ステップＳ２：Ｙｅｓ）、広いセル（大セル）を選択し（ステップＳ３）、そうでない場合には（ステップＳ２：Ｎｏ）、狭いセル（小セル）を選択する（ステップＳ４）。ここで、ステップＳ３の大セルの選択またはステップＳ４の小セルの選択を行うに当たって、次のようにすればよい。広さの異なる複数のセルが階層化されて配置されている場合には、ステップＳ３で通信可能範囲の広いマクロセルを選択し、ステップＳ４で通信可能範囲の狭いマイクロセルを選択する（後述する実施例１）。尚、広いセル、狭いセルは、各セルに対応して送信する信号の周波数（サブキャリア含む）を異ならせるたり、異なる拡散符合を割り当てること等で分離することができる。各セルは、異なる基地局により構成することが望ましい。【００１８】
あるいは、セル構造が階層化されているか否かにかかわらず、ステップＳ３で移動局のハンドオーバ閾値を小さくし、ステップＳ４で移動局のハンドオーバ閾値を大きくする（後述する実施例２）ようにしてもよい。ハンドオーバ閾値が小さくなると、移動局の通信可能範囲が広くなるので、セルを広くしたのと同じような効果を得ることができる。反対に、ハンドオーバ閾値が大きくなると、移動局の通信可能範囲が狭くなるので、セルを狭くしたのと同じような効果を得ることができる。
【実施例１】
【００１９】
図２は、この発明の実施例１にかかるセル選択方法を説明する図である。図２に示すように、実施例１では、セル構造が、マクロセル１とマイクロセル２，３，４を階層化した構造となっている（破線で示す）。このような階層化したセル構造では、同一の位置が、広さが異なる複数のセルに含まれている。通常、このようなセル構造において、移動局の移動速度や移動局が受けるサービスなどに応じて、適当な広さのセルが選択される。図２の左側の図では、マクロセル１が選択されており、同図右側の図では、マイクロセル２が選択されている。【００２０】
図３は、この発明の実施例１にかかる移動局装置の構成を示す図である。図３に示すように、実施例１の移動局装置は、アンテナ１１、受信機１２、送信機１３、間欠送受信周期判定部１４、セル設定部１５、制御部１６およびデータ処理部１７を備えている。受信機１２は、図示しない基地局から送られてくる信号をアンテナ１１を介して間欠受信する。受信機１２は、基地局（ネットワーク）から、間欠送受信の周期を通知する信号を受信する。【００２１】
送信機１３は、基地局へ信号を間欠送信する。間欠送受信状態において、送受信を行わない期間では、受信機１２および送信機１３は停止している。間欠送受信周期判定部１４は、受信機１２で受信した間欠送受信の周期を通知する信号に基づいて、間欠送受信の周期を判定する。セル設定部１５は、間欠送受信周期判定部１４により判定された間欠送受信の周期と、予め設定されている閾値とを比較し、間欠送受信の周期が閾値よりも長いか短いかを判断する。尚、閾値は、基地局から送信し、移動局装置がこれを受信して設定することとしてもよい。その際、報知情報として閾値を送信することもできる。【００２２】
そして、セル設定部１５は、間欠送受信の周期が長いときにマクロセルの階層に属する基地局を選択（マクロセル１の基地局を１つ選択）し、間欠送受信の周期が短いときに、マイクロセルの階層に属する基地局のうち、移動局が存在するマイクロセル（２，３又は４）の基地局を選択する。そして、セル設定部１５は、現在のセルとは階層が異なるセルを選択する場合には、送信機１３からアンテナ１１を介して基地局へ階層間のハンドオーバリクエストを出力する（制御部１６に当該リクエストの送信を依頼してもよい）。一方、セル設定部１５は、階層を同じくするセル間の移動の場合は、階層間のハンドオーバリクエストを出力しない。【００２３】
尚、セル設定部１５は、選択した基地局との間で間欠送受信を行うように、受信機１２、送信器１３に必要な設定を行う。【００２４】
基地局又はその上位装置は、移動局装置からの階層間のハンドオーバリクエストを受信し、移動局装置が、いずれの階層に属しているかを管理、記憶する管理部を備え、移動局装置との間で行う間欠送受信は、その管理部において管理している内容に基いて実行する。即ち、階層間のハンドーバリクエストによりマクロセル１へのハンオーバが要求された場合は、それを移動局装置に許可し、一方、管理部におけるこの移動局装置の管理状態をマクロセル１に更新する。【００２５】
尚、マイクロセル、マクロセル間における移動を検出した場合には、制御部１６は、同一階層間のハンドオーバリクエストを行う。【００２６】
制御部１６は、受信信号の受信レベルに基づいて通常のハンドオーバ（同一階層間のハンドオーバ）などの制御を行うとともに、全体の制御を司る。データ処理部１７は、受信信号の復調や復号処理、送信データの符号化や変調処理、およびその他のデータ処理を行う。【００２７】
図４は、この発明の実施例１にかかる移動局装置の動作を説明する図である。図４に示すように、セルの選択処理が開始されると、まず、間欠送受信周期判定部１４は、アンテナ１１および受信機１２を介して、基地局またはネットワークから通知される間欠送受信の周期を取得する（ステップＳ１１）。そして、間欠送受信周期判定部１４は、取得した間欠送受信の周期を、予め設定されている閾値と比較し、間欠送受信の周期がその閾値よりも大きいか否かを判断し（ステップＳ１２）、どちらが大きいかをセル設定部１５に通知する。【００２８】
セル設定部１５は、間欠送受信の周期の方が大きい場合には（ステップＳ１２：Ｙｅｓ）、マクロセルを選択して（ステップＳ１３）、セルの選択処理を終了する。一方、間欠送受信の周期の方が大きくない場合には（ステップＳ１２：Ｎｏ）、その時点で移動局装置が存在するマイクロセルを選択して（ステップＳ１４）、セルの選択処理を終了する。【００２９】
図５は、この発明の実施例１にかかる移動局装置によるセル選択シーケンスを説明する図である。ここでは、移動局装置がマクロセルにいるとする。図５に示すように、マクロセルの基地局は、移動局装置に間欠送受信の周期を通知する（ステップＳ２１）。その通知を受け取ると、移動局装置は、図４に示すセルの選択処理（ステップＳ１１〜ステップＳ１４）を行う。その結果、マイクロセルを選択すると、移動局装置は、その選択したマイクロセルの基地局へ階層間のハンドオーバリクエストを送る（ステップＳ２２）。マイクロセルの基地局は、そのハンドオーバリクエストに応答してハンドオーバＯＫを返す（ステップＳ２３）。これによって、マクロセルからマイクロセルへのハンドオーバが完了する。【００３０】
また、移動局装置は、マイクロセルの基地局から間欠送受信の周期の通知を受け取ると（ステップＳ２４）、図４に示すセルの選択処理（ステップＳ１１〜ステップＳ１４）を行う。その結果、マクロセルを選択すると、移動局装置は、マクロセルの基地局へ階層間のハンドオーバリクエストを送る（ステップＳ２５）。マクロセルの基地局は、そのハンドオーバリクエストに応答してハンドオーバＯＫを返す（ステップＳ２６）。これによって、マイクロセルからマクロセルへのハンドオーバが完了する。【００３１】
実施例１によれば、間欠送受信の周期が長いときにセルが広くなるので、移動局がセルの境界をまたいで隣接するセルへ移動することが起こり難くなる。従って、ハンドオーバ時に通信が途切れるのを抑制することができる。また、間欠送受信の周期が短いときには、セルが狭くなるので、周波数の利用効率が高くなる。
【実施例２】
【００３２】
図６は、この発明の実施例２にかかる移動局装置の構成を示す図である。図６に示すように、実施例２は、間欠送受信の周期に応じてマクロセルとマイクロセルを切り替えるのではなく、間欠送受信の周期に応じて移動局装置のハンドオーバ閾値を変化させることによって、移動局が存在するセルの広さを実質的に変化させるようにしたものである。従って、実施例２の移動局装置は、実施例マクロセル１のセル設定部１５の代わりに、ハンドオーバ閾値設定部２１を備えている。なお、実施例１と同様の構成については、実施例１と同一の符号を付して、重複する説明を省略する。【００３３】
ハンドオーバ閾値設定部２１は、間欠送受信周期判定部１４により判定された間欠送受信の周期と、予め設定されている閾値とを比較し、間欠送受信の周期が閾値よりも長いか短いかを判断する。そして、ハンドオーバ閾値設定部２１は、間欠送受信の周期が長いときにハンドオーバ閾値を小さくし、間欠送受信の周期が短いときにハンドオーバ閾値を大きくする。その際、ハンドオーバ閾値設定部２１は、ハンドオーバ閾値を段階的に変化させてもよいし、連続的に変化させてもよい。【００３４】
制御部１６は、ハンドオーバ閾値設定部２１により設定されたハンドオーバ閾値と、受信機１２で受信した信号の受信レベルを比較する。その結果、ハンドオーバ閾値が受信レベルを超える場合には、ハンドオーバ閾値設定部２１は、ハンドオーバが必要であると判断し、送信機１３からアンテナ１１を介して基地局へハンドオーバリクエストを出力する。一方、ハンドオーバ閾値が受信レベルを超えない場合には、ハンドオーバ閾値設定部２１は、ハンドオーバが必要でないと判断し、ハンドオーバリクエストを出力しない。【００３５】
図７は、この発明の実施例２にかかる移動局装置の動作を説明する図である。図７に示すように、ハンドオーバ閾値の設定処理が開始されると、まず、間欠送受信周期判定部１４は、アンテナ１１および受信機１２を介して、基地局またはネットワークから通知される間欠送受信の周期を取得する（ステップＳ３１）。そして、間欠送受信周期判定部１４は、取得した間欠送受信の周期を、予め設定されている閾値と比較し、間欠送受信の周期がその閾値よりも大きいか否かを判断し（ステップＳ３２）、どちらが大きいかをハンドオーバ閾値設定部２１に通知する。【００３６】
ハンドオーバ閾値設定部２１は、間欠送受信の周期の方が大きい場合には（ステップＳ３２：Ｙｅｓ）、ハンドオーバ閾値を小さくして（ステップＳ３３）、ハンドオーバ閾値の設定処理を終了する。一方、間欠送受信の周期の方が大きくない場合には（ステップＳ３２：Ｎｏ）、ハンドオーバ閾値を大きくして（ステップＳ３４）、ハンドオーバ閾値の設定処理を終了する。【００３７】
図８は、この発明の実施例２にかかる移動局装置によるセル選択シーケンスを説明する図である。図８に示すように、基地局Ａは、移動局装置に間欠送受信の周期を通知する（ステップＳ４１）。その通知を受け取ると、移動局装置は、図７に示すハンドオーバ閾値の設定処理（ステップＳ３１〜ステップＳ３４）を行う。その結果、ハンドオーバ閾値が現在の受信レベルよりも大きくなると、移動局装置は、受信レベルがより大きい別の基地局Ｂへのハンドオーバが必要であると判断して、基地局Ｂへハンドオーバリクエストを送る（ステップＳ４２）。【００３８】
基地局Ｂは、そのハンドオーバリクエストに応答してハンドオーバＯＫを返す（ステップＳ４３）。これによって、ハンドオーバが完了する。なお、ハンドオーバ閾値の設定処理（ステップＳ３１〜ステップＳ３４）を行った結果、ハンドオーバ閾値が現在の受信レベルを超えない場合には、ハンドオーバをする必要がないので、移動局装置は、ハンドオーバリクエストを出力しない。【００３９】
実施例２によれば、間欠送受信の周期が長いときには、ハンドオーバ閾値が小さくなるので、移動局は、より低い受信レベルまで受信可能となる。これにより、セルが広くなったのと同じような効果を得ることができる。移動局がセルの境界をまたいで隣接するセルへ移動することが起こり難くなる。従って、ハンドオーバ時に通信が途切れるのを抑制することができる。また、間欠送受信の周期が短いときには、ハンドオーバ閾値が大きくなるので、移動局は、より高い受信レベルまでしか受信できなくなる。これにより、セルが狭くなったのと同じような効果を得ることができ、周波数の利用効率が高くなる。
【産業上の利用可能性】
【００４０】
以上のように、本発明にかかる移動局装置およびセル選択方法は、基地局と移動局が間欠送受信を行う移動体通信システムに有用であり、特に、携帯電話システムにおける３ＧＰＰのＬＴＥに適している。
【図１】
2009008056.tif 000003
【図２】
2009008056.tif 000004
【図３】
2009008056.tif 000005
【図４】
2009008056.tif 000006
【図５】
2009008056.tif 000007
【図６】
2009008056.tif 000008
【図７】
2009008056.tif 000009
【図８】
2009008056.tif 000010
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
相対的に範囲が広い第１セル群と、相対的に範囲が狭い第２セル群とを構成する複数の基地局を備えた移動通信システムで用いられる移動局装置において、
前記複数の基地局のいずれかの基地局から送信された信号を受信する受信機と、
前記受信機で受信した信号に基づいて間欠受信の周期を判定する判定部と、
前記判定部により判定された間欠受信の周期に基づいて、前記第１セル群又は前記第２セル群のいずれかの選択を行い、選択されたセル群に属する基地局から送信される信号を間欠受信するように前記受信機を設定する設定部と、
を備えることを特徴とする移動局装置。
【請求項２】
前記設定部は、間欠受信の周期が長い場合に前記第１セル群に属する基地局を選択し、前記間欠受信の周期が短い場合に前記第２セル群に属する基地局を選択することを特徴とする請求項１に記載の移動局装置。
【請求項３】
前記設定部は、間欠受信の周期を閾値と比較することによって、間欠受信の周期が長いか短いかを判断することを特徴とする請求項２に記載の移動局装置。
【請求項４】
基地局から送信された信号を受信する受信機と、
前記受信機で受信した信号に基づいて間欠受信の周期を判定する判定部と、
前記判定部により判定された間欠受信の周期に基づいてハンドオーバ閾値の設定を行うハンドオーバ閾値設定部と、
を備えることを特徴とする移動局装置。
【請求項５】
前記ハンドオーバ閾値設定部は、間欠受信の周期が長いときにハンドオーバ閾値を小さく設定し、前記間欠受信の周期が短いときにハンドオーバ閾値を大きく設定することを特徴とする請求項４に記載の移動局装置。
【請求項６】
前記ハンドオーバ閾値設定部は、間欠受信の周期に応じてハンドオーバ閾値を連続的に変化させることを特徴とする請求項５に記載の移動局装置。
【請求項７】
前記ハンドオーバ閾値設定部は、間欠受信の周期を閾値と比較することによって、間欠受信の周期が長いか短いかを判断することを特徴とする請求項６に記載の移動局装置。
【請求項８】
相対的に範囲が広い第１セル群と、相対的に範囲が狭い第２セル群とを構成する複数の基地局を備えた移動通信システムで用いられる移動局装置におけるセル選択方法において、
前記複数の基地局のいずれかの基地局から送信された信号を受信し、
受信した信号に基づいて間欠受信の周期を判定し、
判定した間欠受信の周期に基づいて、前記第１セル群又は前記第２セル群のいずれかの選択を行い、選択されたセル群に属する基地局から送信される信号を間欠受信するように受信制御する、
ことを特徴とするセル選択方法。
【請求項９】
前記第１セル群と前記第２セル群との間での選択する群を変更する場合にセル群を変更するハンドオーバリクエストを送信する、
ことを特徴とする請求項８に記載のセル選択方法。
【請求項１０】
基地局から送信された信号を受信し、受信した該信号に基づいて間欠受信の周期を判定する判定ステップと、
前記判定ステップで得た間欠受信の周期を閾値と比較する比較ステップと、
前記比較ステップでの比較の結果、間欠受信の周期の方が長いときにハンドオーバ閾値を小さくし、前記間欠受信の周期が短いときにハンドオーバ閾値を大きくする設定ステップと、
を含むことを特徴とするセル選択方法。
【手続補正２】
【補正対象書類名】明細書
【補正対象項目名】全文
【補正方法】変更
【補正の内容】
【発明の詳細な説明】
【技術分野】
【０００１】
本発明は、移動局装置およびセル選択方法に関するものである。
【背景技術】
【０００２】
近時、携帯電話等の移動体通信システムでは、より高速なデータ通信仕様の一つとして、ＬＴＥ（Ｌｏｎｇ  Ｔｅｒｍ  Ｅｖｏｌｕｔｉｏｎ）が検討されている。このＬＴＥは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式による第３世代携帯電話（３Ｇ）を拡張した通信方式の一つであり、標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）において標準化が進められている（例えば、非特許文献１参照。）。
【０００３】
ＬＴＥでは、移動局は、消費電力の削減を図るため、待ち受け中だけでなく、通信中においても、基地局からの信号を間欠受信（ＤＲＸ：Ｄｉｓｃｏｎｔｉｎｕｏｕｓ  Ｒｅｃｅｉｖｉｎｇ  ｆｏｒ  Ｐｏｗｅｒ  Ｓａｖｉｎｇ）する。この間欠受信期間中、移動局は、定期的にスケジューリングチャネルを受信して、自分宛の送信の有無を確認する。また、移動局は、上りリンクの同期を維持するため、定期的に基地局へ上り送信を行う（ＤＴＸ：Ｄｉｓｃｏｎｔｉｎｕｏｕｓ  Ｔｒａｎｓｍｉｓｓｉｏｎ）。
【０００４】
また、ＩＰ（Ｉｎｔｅｒｎｅｔ  Ｐｒｏｔｏｃｏｌ）通信を実現するネットワーク構成方法において、複数種類の無線基地局の通信エリアが階層をなすことを特徴とするネットワーク構成方法の提案がある。さらに、種類が異なる複数の無線デバイスを搭載している無線端末が１以上の無線デバイスを休止状態に設定する場合、各無線デバイスに対応する無線基地局の中でも最も通信エリアが広い無線基地局の識別子を含む経路登録パケットを根幹ルータに送信することを特徴とするネットワーク構成方法の提案がある（例えば、特許文献１参照。）。
【先行技術文献】
【特許文献】
【０００５】
【特許文献１】特開２００４−３０４２８０号公報（［請求項２］、［請求項５］）
【非特許文献】
【０００６】
【非特許文献１】「スリージーピーピー・ティーアール・２５．９１３・Ｖ７．３．０（２００６−０３）（３ＧＰＰ  ＴＲ  ２５．９１３  Ｖ７．３．０（２００６−０３））」、サード・ジェネレーション・パートナーシップ・プロジェクト（３ｒｄ  Ｇｅｎｅｒａｔｉｏｎ  Ｐａｒｔｎｅｒｓｈｉｐ  Ｐｒｏｊｅｃｔ）、ｐ．１−１８
【発明の概要】
【発明が解決しようとする課題】
【０００７】
しかしながら、基地局との通信中でも間欠送受信を行う場合、ハンドオーバを行う際に次のような問題が生じることがある。移動局と基地局とが通信を行っている間に、受信と受信の間の期間、すなわち移動局が受信を行っていない期間に移動局がセル間を移動すると、移動局が受信品質の劣化を次の受信のタイミングで知ることになる。そのため、移動局がセルの境界をまたいだタイミングから相当遅れて、移動局の接続先となる基地局が切り替わることになり、通信が途切れるおそれがある。
【０００８】
本発明は、上記に鑑みてなされたものであって、ハンドオーバ時に通信の途切れが発生するのを抑制することができる移動局装置およびセル選択方法を提供することを目的とする。
【課題を解決するための手段】
【０００９】
上述した課題を解決し、目的を達成するために、本発明は、以下の特徴を有する。第１の発明にかかる移動局装置は、相対的に範囲が広い第１セル群と、相対的に範囲が狭い第２セル群とを構成する複数の基地局を備えた移動通信システムにおいて用いられる。移動局装置は、複数の基地局のいずれかの基地局から送信された信号を受信し、受信した信号に基づいて間欠受信の周期を判定し、判定した間欠受信の周期に基づいて、第１セル群又は第２セル群のいずれかの選択を行い、選択されたセル群に属する基地局から送信される信号を間欠受信するように受信制御する。第２の発明にかかる移動局装置は、基地局から送信された信号を受信し、受信した信号に基づいて間欠受信の周期を判定し、判定した間欠受信の周期を閾値と比較し、比較の結果、間欠受信の周期の方が長いときにハンドオーバ閾値を小さくし、間欠受信の周期が短いときにハンドオーバ閾値を大きくする。
【００１０】
第１の発明によれば、間欠受信の周期が長いときにセルが広くなるので、移動局がセルの境界をまたいで隣接するセルへ移動することが起こり難くなる。従って、ハンドオーバ時に通信が途切れることが殆ど起こらなくなる。一方、間欠受信の周期が短いときには、セルが狭くなるので、周波数の利用効率が高くなる。
【００１１】
また、第２の発明によれば、間欠受信の周期が長いときにハンドオーバ閾値が小さくなることによって、移動局は、より低い受信レベルまで受信可能となる。これにより、セルが広くなったのと同じような効果を得ることができるので、ハンドオーバ時の通信の途切れが殆ど起こらなくなる。一方、間欠受信の周期が短いときには、ハンドオーバ閾値が大きくなることによって、移動局は、より高い受信レベルまでしか受信できなくなる。これにより、セルが狭くなったのと同じような効果を得ることができ、周波数の利用効率が高くなる。
【発明の効果】
【００１２】
本発明にかかる移動局装置およびセル選択方法は、ハンドオーバ時に通信の途切れが発生するのを抑制することができるという効果を奏する。
【図面の簡単な説明】
【００１３】
【図１】この発明の実施の形態にかかるセル選択方法の概念を示す図である。
【図２】この発明の実施例１にかかるセル選択方法を説明する図である。
【図３】この発明の実施例１にかかる移動局装置の構成を示す図である。
【図４】この発明の実施例１にかかる移動局装置の動作を説明する図である。
【図５】この発明の実施例１にかかる移動局装置によるセル選択シーケンスを説明する図である。
【図６】この発明の実施例２にかかる移動局装置の構成を示す図である。
【図７】この発明の実施例２にかかる移動局装置の動作を説明する図である。
【図８】この発明の実施例２にかかる移動局装置によるセル選択シーケンスを説明する図である。
【発明を実施するための形態】
【００１４】
以下に、本発明にかかる移動局装置およびセル選択方法の実施例を図面に基づいて詳細に説明する。なお、この実施例によりこの発明が限定されるものではない。尚、ここでは、ＬＴＥに従った移動通信システムに適用する場合を１例として挙げて説明する。
【００１５】
まず、この発明の実施の形態にかかるセル選択方法について説明する。実施の形態では、移動局が基地局との間で間欠送受信を行う移動体通信システムにおいて、移動局が接続する基地局のセルの広さを、間欠送受信の周期に基づいた広さとする。間欠送受信状態のとき、移動局は、基地局との間で、一定の周期で間欠的に送信および受信を行う。
【００１６】
図１は、この発明の実施の形態にかかるセル選択方法を示す図である。図１に示すように、まず、移動局は、間欠送受信の周期を取得する（ステップＳ１）。間欠送受信の周期は、基地局またはネットワークから移動局に通知される。次いで、移動局は、取得した間欠送受信の周期を、予め設定されている閾値と比較し、間欠送受信の周期がその閾値よりも大きいか否かを判断する（ステップＳ２）。
【００１７】
間欠送受信の周期の方が大きい場合には（ステップＳ２：Ｙｅｓ）、広いセル（大セル）を選択し（ステップＳ３）、そうでない場合には（ステップＳ２：Ｎｏ）、狭いセル（小セル）を選択する（ステップＳ４）。ここで、ステップＳ３の大セルの選択またはステップＳ４の小セルの選択を行うに当たって、次のようにすればよい。広さの異なる複数のセルが階層化されて配置されている場合には、ステップＳ３で通信可能範囲の広いマクロセルを選択し、ステップＳ４で通信可能範囲の狭いマイクロセルを選択する（後述する実施例１）。尚、広いセル、狭いセルは、各セルに対応して送信する信号の周波数（サブキャリア含む）を異ならせるたり、異なる拡散符合を割り当てること等で分離することができる。各セルは、異なる基地局により構成することが望ましい。
【００１８】
あるいは、セル構造が階層化されているか否かにかかわらず、ステップＳ３で移動局のハンドオーバ閾値を小さくし、ステップＳ４で移動局のハンドオーバ閾値を大きくする（後述する実施例２）ようにしてもよい。ハンドオーバ閾値が小さくなると、移動局の通信可能範囲が広くなるので、セルを広くしたのと同じような効果を得ることができる。反対に、ハンドオーバ閾値が大きくなると、移動局の通信可能範囲が狭くなるので、セルを狭くしたのと同じような効果を得ることができる。
【実施例１】
【００１９】
図２は、この発明の実施例１にかかるセル選択方法を説明する図である。図２に示すように、実施例１では、セル構造が、マクロセル１とマイクロセル２，３，４を階層化した構造となっている（破線で示す）。このような階層化したセル構造では、同一の位置が、広さが異なる複数のセルに含まれている。通常、このようなセル構造において、移動局の移動速度や移動局が受けるサービスなどに応じて、適当な広さのセルが選択される。図２の左側の図では、マクロセル１が選択されており、同図右側の図では、マイクロセル２が選択されている。
【００２０】
図３は、この発明の実施例１にかかる移動局装置の構成を示す図である。図３に示すように、実施例１の移動局装置は、アンテナ１１、受信機１２、送信機１３、間欠送受信周期判定部１４、セル設定部１５、制御部１６およびデータ処理部１７を備えている。受信機１２は、図示しない基地局から送られてくる信号をアンテナ１１を介して間欠受信する。受信機１２は、基地局（ネットワーク）から、間欠送受信の周期を通知する信号を受信する。
【００２１】
送信機１３は、基地局へ信号を間欠送信する。間欠送受信状態において、送受信を行わない期間では、受信機１２および送信機１３は停止している。間欠送受信周期判定部１４は、受信機１２で受信した間欠送受信の周期を通知する信号に基づいて、間欠送受信の周期を判定する。セル設定部１５は、間欠送受信周期判定部１４により判定された間欠送受信の周期と、予め設定されている閾値とを比較し、間欠送受信の周期が閾値よりも長いか短いかを判断する。尚、閾値は、基地局から送信し、移動局装置がこれを受信して設定することとしてもよい。その際、報知情報として閾値を送信することもできる。
【００２２】
そして、セル設定部１５は、間欠送受信の周期が長いときにマクロセルの階層に属する基地局を選択（マクロセル１の基地局を１つ選択）し、間欠送受信の周期が短いときに、マイクロセルの階層に属する基地局のうち、移動局が存在するマイクロセル（２，３又は４）の基地局を選択する。そして、セル設定部１５は、現在のセルとは階層が異なるセルを選択する場合には、送信機１３からアンテナ１１を介して基地局へ階層間のハンドオーバリクエストを出力する（制御部１６に当該リクエストの送信を依頼してもよい）。一方、セル設定部１５は、階層を同じくするセル間の移動の場合は、階層間のハンドオーバリクエストを出力しない。
【００２３】
尚、セル設定部１５は、選択した基地局との間で間欠送受信を行うように、受信機１２、送信器１３に必要な設定を行う。
【００２４】
基地局又はその上位装置は、移動局装置からの階層間のハンドオーバリクエストを受信し、移動局装置が、いずれの階層に属しているかを管理、記憶する管理部を備え、移動局装置との間で行う間欠送受信は、その管理部において管理している内容に基いて実行する。即ち、階層間のハンドーバリクエストによりマクロセル１へのハンオーバが要求された場合は、それを移動局装置に許可し、一方、管理部におけるこの移動局装置の管理状態をマクロセル１に更新する。
【００２５】
尚、マイクロセル、マクロセル間における移動を検出した場合には、制御部１６は、同一階層間のハンドオーバリクエストを行う。
【００２６】
制御部１６は、受信信号の受信レベルに基づいて通常のハンドオーバ（同一階層間のハンドオーバ）などの制御を行うとともに、全体の制御を司る。データ処理部１７は、受信信号の復調や復号処理、送信データの符号化や変調処理、およびその他のデータ処理を行う。
【００２７】
図４は、この発明の実施例１にかかる移動局装置の動作を説明する図である。図４に示すように、セルの選択処理が開始されると、まず、間欠送受信周期判定部１４は、アンテナ１１および受信機１２を介して、基地局またはネットワークから通知される間欠送受信の周期を取得する（ステップＳ１１）。そして、間欠送受信周期判定部１４は、取得した間欠送受信の周期を、予め設定されている閾値と比較し、間欠送受信の周期がその閾値よりも大きいか否かを判断し（ステップＳ１２）、どちらが大きいかをセル設定部１５に通知する。
【００２８】
セル設定部１５は、間欠送受信の周期の方が大きい場合には（ステップＳ１２：Ｙｅｓ）、マクロセルを選択して（ステップＳ１３）、セルの選択処理を終了する。一方、間欠送受信の周期の方が大きくない場合には（ステップＳ１２：Ｎｏ）、その時点で移動局装置が存在するマイクロセルを選択して（ステップＳ１４）、セルの選択処理を終了する。
【００２９】
図５は、この発明の実施例１にかかる移動局装置によるセル選択シーケンスを説明する図である。ここでは、移動局装置がマクロセルにいるとする。図５に示すように、マクロセルの基地局は、移動局装置に間欠送受信の周期を通知する（ステップＳ２１）。その通知を受け取ると、移動局装置は、図４に示すセルの選択処理（ステップＳ１１〜ステップＳ１４）を行う。その結果、マイクロセルを選択すると、移動局装置は、その選択したマイクロセルの基地局へ階層間のハンドオーバリクエストを送る（ステップＳ２２）。マイクロセルの基地局は、そのハンドオーバリクエストに応答してハンドオーバＯＫを返す（ステップＳ２３）。これによって、マクロセルからマイクロセルへのハンドオーバが完了する。
【００３０】
また、移動局装置は、マイクロセルの基地局から間欠送受信の周期の通知を受け取ると（ステップＳ２４）、図４に示すセルの選択処理（ステップＳ１１〜ステップＳ１４）を行う。その結果、マクロセルを選択すると、移動局装置は、マクロセルの基地局へ階層間のハンドオーバリクエストを送る（ステップＳ２５）。マクロセルの基地局は、そのハンドオーバリクエストに応答してハンドオーバＯＫを返す（ステップＳ２６）。これによって、マイクロセルからマクロセルへのハンドオーバが完了する。
【００３１】
実施例１によれば、間欠送受信の周期が長いときにセルが広くなるので、移動局がセルの境界をまたいで隣接するセルへ移動することが起こり難くなる。従って、ハンドオーバ時に通信が途切れるのを抑制することができる。また、間欠送受信の周期が短いときには、セルが狭くなるので、周波数の利用効率が高くなる。
【実施例２】
【００３２】
図６は、この発明の実施例２にかかる移動局装置の構成を示す図である。図６に示すように、実施例２は、間欠送受信の周期に応じてマクロセルとマイクロセルを切り替えるのではなく、間欠送受信の周期に応じて移動局装置のハンドオーバ閾値を変化させることによって、移動局が存在するセルの広さを実質的に変化させるようにしたものである。従って、実施例２の移動局装置は、実施例マクロセル１のセル設定部１５の代わりに、ハンドオーバ閾値設定部２１を備えている。なお、実施例１と同様の構成については、実施例１と同一の符号を付して、重複する説明を省略する。
【００３３】
ハンドオーバ閾値設定部２１は、間欠送受信周期判定部１４により判定された間欠送受信の周期と、予め設定されている閾値とを比較し、間欠送受信の周期が閾値よりも長いか短いかを判断する。そして、ハンドオーバ閾値設定部２１は、間欠送受信の周期が長いときにハンドオーバ閾値を小さくし、間欠送受信の周期が短いときにハンドオーバ閾値を大きくする。その際、ハンドオーバ閾値設定部２１は、ハンドオーバ閾値を段階的に変化させてもよいし、連続的に変化させてもよい。
【００３４】
制御部１６は、ハンドオーバ閾値設定部２１により設定されたハンドオーバ閾値と、受信機１２で受信した信号の受信レベルを比較する。その結果、ハンドオーバ閾値が受信レベルを超える場合には、ハンドオーバ閾値設定部２１は、ハンドオーバが必要であると判断し、送信機１３からアンテナ１１を介して基地局へハンドオーバリクエストを出力する。一方、ハンドオーバ閾値が受信レベルを超えない場合には、ハンドオーバ閾値設定部２１は、ハンドオーバが必要でないと判断し、ハンドオーバリクエストを出力しない。
【００３５】
図７は、この発明の実施例２にかかる移動局装置の動作を説明する図である。図７に示すように、ハンドオーバ閾値の設定処理が開始されると、まず、間欠送受信周期判定部１４は、アンテナ１１および受信機１２を介して、基地局またはネットワークから通知される間欠送受信の周期を取得する（ステップＳ３１）。そして、間欠送受信周期判定部１４は、取得した間欠送受信の周期を、予め設定されている閾値と比較し、間欠送受信の周期がその閾値よりも大きいか否かを判断し（ステップＳ３２）、どちらが大きいかをハンドオーバ閾値設定部２１に通知する。
【００３６】
ハンドオーバ閾値設定部２１は、間欠送受信の周期の方が大きい場合には（ステップＳ３２：Ｙｅｓ）、ハンドオーバ閾値を小さくして（ステップＳ３３）、ハンドオーバ閾値の設定処理を終了する。一方、間欠送受信の周期の方が大きくない場合には（ステップＳ３２：Ｎｏ）、ハンドオーバ閾値を大きくして（ステップＳ３４）、ハンドオーバ閾値の設定処理を終了する。
【００３７】
図８は、この発明の実施例２にかかる移動局装置によるセル選択シーケンスを説明する図である。図８に示すように、基地局Ａは、移動局装置に間欠送受信の周期を通知する（ステップＳ４１）。その通知を受け取ると、移動局装置は、図７に示すハンドオーバ閾値の設定処理（ステップＳ３１〜ステップＳ３４）を行う。その結果、ハンドオーバ閾値が現在の受信レベルよりも大きくなると、移動局装置は、受信レベルがより大きい別の基地局Ｂへのハンドオーバが必要であると判断して、基地局Ｂへハンドオーバリクエストを送る（ステップＳ４２）。
【００３８】
基地局Ｂは、そのハンドオーバリクエストに応答してハンドオーバＯＫを返す（ステップＳ４３）。これによって、ハンドオーバが完了する。なお、ハンドオーバ閾値の設定処理（ステップＳ３１〜ステップＳ３４）を行った結果、ハンドオーバ閾値が現在の受信レベルを超えない場合には、ハンドオーバをする必要がないので、移動局装置は、ハンドオーバリクエストを出力しない。
【００３９】
実施例２によれば、間欠送受信の周期が長いときには、ハンドオーバ閾値が小さくなるので、移動局は、より低い受信レベルまで受信可能となる。これにより、セルが広くなったのと同じような効果を得ることができる。移動局がセルの境界をまたいで隣接するセルへ移動することが起こり難くなる。従って、ハンドオーバ時に通信が途切れるのを抑制することができる。また、間欠送受信の周期が短いときには、ハンドオーバ閾値が大きくなるので、移動局は、より高い受信レベルまでしか受信できなくなる。これにより、セルが狭くなったのと同じような効果を得ることができ、周波数の利用効率が高くなる。
【００４０】
上述した実施の形態に関し、さらに以下の付記を開示する。
【００４１】
（付記１）相対的に範囲が広い第１セル群と、相対的に範囲が狭い第２セル群とを構成する複数の基地局を備えた移動通信システムで用いられる移動局装置において、
前記複数の基地局のいずれかの基地局から送信された信号を受信する受信機と、
前記受信機で受信した信号に基づいて間欠受信の周期を判定する判定部と、
前記判定部により判定された間欠受信の周期に基づいて、前記第１セル群又は前記第２セル群のいずれかの選択を行い、選択されたセル群に属する基地局から送信される信号を間欠受信するように前記受信機を設定する設定部と、
を備えることを特徴とする移動局装置。
【００４２】
（付記２）前記設定部は、間欠受信の周期が長い場合に前記第１セル群に属する基地局を選択し、前記間欠受信の周期が短い場合に前記第２セル群に属する基地局を選択することを特徴とする付記１に記載の移動局装置。
【００４３】
（付記３）前記設定部は、間欠受信の周期を閾値と比較することによって、間欠受信の周期が長いか短いかを判断することを特徴とする付記２に記載の移動局装置。
【００４４】
（付記４）前記設定部は、前記第１セル群と前記第２セル群との間での選択する群を変更する場合に階層間のハンドオーバリクエストを送信機から送信させることを特徴とする付記２に記載の移動局装置。
【００４５】
（付記５）基地局から送信された信号を受信する受信機と、
前記受信機で受信した信号に基づいて間欠受信の周期を判定する判定部と、
前記判定部により判定された間欠受信の周期に基づいてハンドオーバ閾値の設定を行うハンドオーバ閾値設定部と、
を備えることを特徴とする移動局装置。
【００４６】
（付記６）前記ハンドオーバ閾値設定部は、間欠受信の周期が長いときにハンドオーバ閾値を小さく設定し、前記間欠受信の周期が短いときにハンドオーバ閾値を大きく設定することを特徴とする付記５に記載の移動局装置。
【００４７】
（付記７）前記ハンドオーバ閾値設定部は、間欠受信の周期に応じてハンドオーバ閾値を連続的に変化させることを特徴とする付記６に記載の移動局装置。
【００４８】
（付記８）前記ハンドオーバ閾値設定部は、間欠受信の周期を閾値と比較することによって、間欠受信の周期が長いか短いかを判断することを特徴とする付記７に記載の移動局装置。
【００４９】
（付記９）前記ハンドオーバ閾値設定部により設定されたハンドオーバ閾値と、前記受信機で受信した信号の受信レベルを比較して、ハンドオーバが必要であるか否かを判断する制御部、をさらに備え、
前記制御部は、前記ハンドオーバ閾値設定部により設定されたハンドオーバ閾値が受信レベルを超える場合、前記送信機を介してハンドオーバリクエストを出力することを特徴とする付記６に記載の移動局装置。
【００５０】
（付記１０）相対的に範囲が広い第１セル群と、相対的に範囲が狭い第２セル群とを構成する複数の基地局を備えた移動通信システムで用いられる移動局装置におけるセル選択方法において、
前記複数の基地局のいずれかの基地局から送信された信号を受信し、
受信した信号に基づいて間欠受信の周期を判定し、
判定した間欠受信の周期に基づいて、前記第１セル群又は前記第２セル群のいずれかの選択を行い、選択されたセル群に属する基地局から送信される信号を間欠受信するように受信制御する、
ことを特徴とするセル選択方法。
【００５１】
（付記１１）前記第１セル群と前記第２セル群との間での選択する群を変更する場合にセル群を変更するハンドオーバリクエストを送信する、
ことを特徴とする付記１０に記載のセル選択方法。
【００５２】
（付記１２）基地局から送信された信号を受信し、受信した該信号に基づいて間欠受信の周期を判定する判定ステップと、
前記判定ステップで得た間欠受信の周期を閾値と比較する比較ステップと、
前記比較ステップでの比較の結果、間欠受信の周期の方が長いときにハンドオーバ閾値を小さくし、前記間欠受信の周期が短いときにハンドオーバ閾値を大きくする設定ステップと、
を含むことを特徴とするセル選択方法。
【００５３】
（付記１３）前記設定ステップで設定されたハンドオーバ閾値が、間欠受信した信号の受信レベルを超える場合、ハンドオーバリクエストを出力することを特徴とする付記１２に記載のセル選択方法。
【産業上の利用可能性】
【００５４】
以上のように、本発明にかかる移動局装置およびセル選択方法は、基地局と移動局が間欠送受信を行う移動体通信システムに有用であり、特に、携帯電話システムにおける３ＧＰＰのＬＴＥに適している。
【符号の説明】
【００５５】
１  マクロセル
２，３，４  マイクロセル
１２  受信機
１３  送信機
１４  間欠送受信周期判定部
１５  セル設定部
１６  制御部
２１  ハンドオーバ閾値設定部
【国際調査報告】
2009008056.tif 000011
2009008056.tif 000012
2009008056.tif 000013
2009008056.tif 000014